(57)【要約】【課題】図形標識を生成するための方法と該図形標識を利用するための対話型システムを提供する。【解決手段】オブジェクトの表面に不可視な図形標識を提供する。図形標識と主要情報すなわちテキスト又は図とが、オブジェクトの表面に共存する。図形標識は、人間の目で見る限り主要情報と干渉しない。図形標識により、オブジェクトの表面にある主要情報以外の他の情報が担持される。オブジェクトの表面の主要情報に加えて、補助電子装置を用いて追加情報を得たり、対話型動作を始動したりすることができる。【選択図】        図２
2004166177.tif 000002
【特許請求の範囲】
【請求項１】
処理システムであって、
オブジェクトの表面上にある選択された領域から画像をユーザが取り込むための光学装置であって、前記画像には、不可視で且つ前記オブジェクトの表面に書き添えられた図形標識が含まれる前記光学装置と、
前記画像を受信するための前記光学装置に接続された処理装置であって、前記画像から前記図形標識を取り出し、該図形標識を処理し及び／又は変形することによって前記図形標識に対応する追加情報を取得する前記処理装置と、
前記追加情報を出力するために前記処理装置に接続された出力装置と、
を備えたことを特徴とする処理システム。
【請求項２】
請求項１に記載の処理システムであって、
前記図形標識は、或るレイアウトに配置された複数の図形微細単位を備え、前記レイアウトは、標識情報に対応し、前記処理装置は、前記図形微細単位の前記レイアウトを解析して前記標識情報を取り出し、更に、該図形標識を処理し及び／又は変形することによって前記標識情報から前記追加情報を取得することを特徴とする処理システム。
【請求項３】
請求項２に記載の処理システムであって、
各図形標識は、極めて狭い範囲の面積を占有し、また、各図形微細単位は、極めて狭い範囲の面積を占有し、更に、各図形標識の図形微細単位の数は、互いに実質的に等しいことを特徴とする処理システム。
【請求項４】
請求項２に記載の処理システムであって、
前記オブジェクトの表面は、前記オブジェクトの表面にある前記図形微細単位と重なり合い且つ共存する主要情報を備え、前記図形微細単位は、ユーザが主要情報を注視する時、無視できるほどのものであることを特徴とする処理システム。
【請求項５】
請求項４に記載の処理システムであって、
前記図形標識は、それぞれ選択的に前記図形微細単位を記憶するための複数の状態領域を備え、前記状態領域は各々、少なくとも２つの候補状態から１つの状態を表示することを特徴とする処理システム。
【請求項６】
請求項５に記載の処理システムであって、
前記候補状態は、第１状態と第２状態を備え、前記第１状態では、前記状態領域は、１つの図形微細単位を含み、また、前記第２状態では、前記状態領域は、前記図形微細単位を含まないことを特徴とする処理システム。
【請求項７】
請求項６に記載の処理システムであって、
前記選択された領域の各平方センチメートルは、３０００を越える状態領域を含み、その内の７０パーセント未満が前記第１状態にあり、前記状態領域において前記図形微細単位によって占有される面積の百分率は、８０未満であることを特徴とする処理システム。
【請求項８】
請求項６に記載の処理システムであって、
前記選択された領域の各平方センチメートルは、６０００を越える状態領域を含み、その内の７０パーセント未満が前記第１状態にあり、前記状態領域において前記図形微細単位によって占有される面積の百分率は、８０未満であることを特徴とする処理システム。
【請求項９】
請求項６に記載の処理システムであって、
前記状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができることを特徴とする処理システム。
【請求項１０】
請求項４に記載の処理システムであって、
各図形微細単位は、実質的に赤外線を吸収するインクで印刷され、また、主要情報は、赤外線をほとんど吸収しないインクで印刷され、また、前記光学装置は、赤外線を前記オブジェクトの表面上に出射し、更に、前記画像として前記オブジェクトの表面から応答画像を受信することを特徴とする処理システム。
【請求項１１】
請求項１０に記載の処理システムであって、
前記インクは、黒の油性インクであり、一方、前記主要情報は、赤外線をほとんど吸収しない近―Ｋインクで印刷されることを特徴とする処理システム。
【請求項１２】
請求項４に記載の処理システムであって、
各図形微細単位は、蛍光インクで印刷され、また、前記主要情報は、通常の油性インクで印刷され、前記光学装置は、紫外線又は青色の光線を前記オブジェクトの表面上に出射し、更に、前記画像として前記オブジェクトの表面から応答画像を受信することを特徴とする処理システム。
【請求項１３】
請求項４に記載の処理システムであって、
前記オブジェクトの表面は、多数の指標領域を備え、各指標領域は、１つの指標値に対応し、また、多数の同じ図形標識が各指標領域に配置されることを特徴とする処理システム。
【請求項１４】
請求項１に記載の処理システムであって、
更に、前記標識情報と前記追加情報とのマッピング関係を示すマッピングユニットを備え、前記処理装置は、前記マッピングユニットに接続されて、前記標識情報に対応する１つの追加情報を取り出すことを特徴とする処理システム。
【請求項１５】
請求項１に記載の処理システムであって、
前記追加情報は、マルチメディア情報を備え、前記出力装置は、前記マルチメディア情報をユーザに出力することを特徴とする処理システム。
【請求項１６】
請求項１に記載の処理システムであって、
前記図形標識は、前記オブジェクトの表面に書き添えられた媒体に記録されることを特徴とする処理システム。
【請求項１７】
請求項１に記載の処理システムであって、
更に、前記標識情報と前記追加情報とのマッピング関係を示すマッピングユニットを備え、前記マッピングユニットは、前記標識情報に対応する１つの追加情報を取り出すことを特徴とする処理システム。
【請求項１８】
オブジェクトの表面において図形標識を生成するための方法であって、ユーザが、電子システムを用いて前記オブジェクトの表面の選択された領域から画像を読取り、前記電子システムは、前記図形標識を取り出し、前記図形標識から追加情報を出力する前記方法において、
不可視な標識情報を前記図形標識にマッピングする段階であって、前記図形標識は、複数の図形微細単位をそれぞれ選択的に記憶するための複数の状態領域を備え、又前記状態領域は各々少なくとも２つの候補状態から１つの状態を選択する前記段階と、
前記図形標識を前記オブジェクトの表面に書き添える段階と、
を備えることを特徴とする方法。
【請求項１９】
請求項１８に記載の方法であって、
前記オブジェクトの表面は、前記図形微細単位と重なり合い且つ共存する主要情報を備え、また、前記図形微細単位は、ユーザが前記主要情報を注視する時、無視できるほどのものであることを特徴とする方法。
【請求項２０】
請求項１８に記載の方法であって、
各図形標識は、極めて狭い範囲の面積を占有し、また、各図形微細単位は、極めて狭い範囲の面積を占有し、更に、各図形標識の図形微細単位の数は、互いに実質的に等しいことを特徴とする方法。
【請求項２１】
請求項１８に記載の方法であって、
前記選択された領域の各平方センチメートルは、３０００を越える状態領域を含み、その内の７０パーセント未満が前記第１状態にあり、前記状態領域において前記図形微細単位によって占有される面積の百分率は、８０未満であることを特徴とする方法。
【請求項２２】
請求項１８に記載の方法であって、
前記選択された領域の各平方センチメートルは、６０００を越える状態領域を含み、その内の７０パーセント未満が前記第１状態にあり、前記状態領域において前記図形微細単位によって占有される面積の百分率は、８０未満であることを特徴とする方法。
【請求項２３】
請求項１９に記載の方法であって、
各図形微細単位は、実質的に赤外線を吸収するインクで印刷され、また、主要情報は、赤外線をほとんど吸収しないインクで印刷されることを特徴とする方法。
【請求項２４】
請求項２３に記載の方法であって、
前記インクは、黒の油性インクであり、また、前記主要情報は、赤外線をほとんど吸収しないインクで形成される近―Ｋインクで印刷されることを特徴とする方法。
【請求項２５】
請求項１９に記載の方法であって、
各図形微細単位は、蛍光インクで印刷され、また、前記主要情報は、通常の油性インクで印刷されることを特徴とする方法。
【請求項２６】
請求項１８に記載の方法であって、
前記オブジェクトの表面は、多数の指標領域を備え、各指標領域は、１つの指標値に対応し、また、多数の同じ図形標識が各指標領域に配置されることを特徴とする方法。
【請求項２７】
請求項１８に記載の方法であって、
前記オブジェクトは、印刷可能な媒体であり、また、前記図形標識は、印刷によって、前記印刷可能な表面上に書き添えられることを特徴とする方法。
【請求項２８】
請求項１８に記載の方法であって、
前記図形標識は、前記オブジェクトの表面に書き添えられた媒体に記録されることを特徴とする方法。
【請求項２９】
多数の指標領域を含むオブジェクトの表面であって、多数の不可視な図形標識が各指標領域に配置される前記オブジェクトの表面と、
前記オブジェクトの表面上にある選択された領域をユーザが取り込むための光学装置が含まれる電子システムであって、前記光学装置は、前記選択された領域から画像を取り込み、前記電子システムは、前記画像から前記図形標識を取り出し、また、１つの図形標識に対応する追加情報を用いて、応答を生成する前記電子システムと、
を備えることを特徴とする処理システム。
【請求項３０】
請求項２９に記載の処理システムであって、
各図形標識は、或るレイアウトに配置された複数の図形微細単位を備え、前記レイアウトは、標識情報に対応し、前記処理装置は、前記図形微細単位の前記レイアウトを解析して前記標識情報を取り出し、更に、該標識情報を処理し及び／又は変形することによって前記標識情報から前記追加情報を取得することを特徴とする処理システム。
【請求項３１】
請求項３０に記載の処理システムであって、
前記オブジェクトの表面は、前記オブジェクトの表面にある前記図形微細単位と重なり合い且つ共存する主要情報を備え、前記図形微細単位は、ユーザが主要情報を注視する時、無視できるほどのものであることを特徴とする処理システム。
【請求項３２】
請求項３１に記載の処理システムであって、
各図形標識は、それぞれ選択的に前記図形微細単位を記憶するための複数の状態領域を備え、各状態領域は、少なくとも２つの候補状態から１つの状態を表示することを特徴とする処理システム。
【請求項３３】
請求項２９に記載の処理システムであって、
各図形標識は、極めて狭い範囲の面積を占有し、また、各図形微細単位は、極めて狭い範囲の面積を占有し、更に、各図形標識の図形微細単位の数は、互いに実質的に等しいことを特徴とする処理システム。
【請求項３４】
請求項３２に記載の処理システムであって、
前記選択された領域の各平方センチメートルは、３０００を越える状態領域を含み、その内の７０パーセント未満が前記第１状態にあり、前記状態領域において前記図形微細単位によって占有される面積の百分率は、８０未満であることを特徴とする処理システム。
【請求項３５】
請求項３２に記載の処理システムであって、
前記選択された領域の各平方センチメートルは、６０００を越える状態領域を含み、その内の７０パーセント未満が前記第１状態にあり、前記状態領域において前記図形微細単位によって占有される面積の百分率は、８０未満であることを特徴とする処理システム。
【請求項３６】
請求項３２に記載の処理システムであって、
前記候補状態は、第１状態と第２状態を備え、前記第１状態では、前記状態領域は、１つの図形微細単位を含み、また、前記第２状態では、前記状態領域は、前記図形微細単位を含まないことを特徴とする処理システム。
【請求項３７】
請求項３６に記載の処理システムであって、
状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができることを特徴とする処理システム。
【請求項３８】
請求項３１に記載の処理システムであって、
各図形微細単位は、実質的に赤外線を吸収するインクで印刷され、また、主要情報は、赤外線をほとんど吸収しないインクで印刷され、また、前記光学装置は、赤外線を前記オブジェクトの表面上に出射し、更に、前記画像として前記オブジェクトの表面から応答画像を受信することを特徴とする処理システム。
【請求項３９】
請求項３８に記載の処理システムであって、
前記インクは、黒の油性インクであり、一方、前記主要情報は、赤外線をほとんど吸収しないインクで形成される近―Ｋインクで印刷されることを特徴とする処理システム。
【請求項４０】
請求項３１に記載の処理システムであって、
各図形微細単位は、蛍光インクで印刷され、また、前記主要情報は、通常の油性インクで印刷され、前記光学装置は、紫外線又は青色の光線を前記オブジェクトの表面上に出射し、更に、前記画像として前記オブジェクトの表面から応答画像を受信することを特徴とする処理システム。
【請求項４１】
請求項２９に記載の処理システムであって、
前記オブジェクトの表面は、多数の指標領域を備え、各指標領域は、１つの指標値に対応し、また、多数の同じ図形標識が各指標領域に配置されることを特徴とする処理システム。
【請求項４２】
請求項２９に記載の処理システムであって、
前記応答には、前記追加情報をユーザに出力する段階が含まれることを特徴とする処理システム。
【請求項４３】
請求項２９に記載の処理システムであって、
更に、前記追加情報を受信して前記応答を実現するための応答システムを備えることを特徴とする処理システム。
【請求項４４】
オブジェクトの表面上にある選択された領域から画像をユーザが取り込むための、また、前記オブジェクトの表面に赤外線を出射するための、更に、前記画像として前記オブジェクトの表面から応答画像を受信するための光学読取装置であって、前記画像には、不可視で且つ前記オブジェクトの表面に書き添えられる図形標識が含まれ、前記図形標識は、それぞれ選択的に複数の図形微細単位を記憶するための複数の状態領域を含み、各状態領域は、少なくとも２つの候補状態から１つの状態を表示する前記光学読取装置と、
前記光学読取装置に接続され又前記図形標識から前記画像を取り出し、前記図形標識に対応する追加情報を取得するために用いられる画像処理回路と、
前記画像処理回路に接続され又前記追加情報を出力するための出力回路と、を備え、
前記オブジェクトの表面は、多数の指標領域を備え、各指標領域は、１つの指標値に対応し、また、多数の同じ図形標識が各指標領域に配置され、更に、前記オブジェクトの表面は、前記オブジェクトの表面にある前記図形微細単位と重なり合い且つ共存する主要情報を備え、前記図形微細単位は、ユーザが主要情報を注視する時、無視できるほどのものであり、また、各図形微細単位は、実質的に赤外線を吸収するインクで印刷され、また、主要情報は、赤外線をほとんど吸収しないインクで印刷されることを特徴とする電子機器。
【請求項４５】
請求項４４に記載の電子機器であって、
前記候補状態は、第１状態と第２状態を備え、前記第１状態では、前記状態領域は、１つの図形微細単位を含み、また、前記第２状態では、前記状態領域は、前記図形微細単位を含まないことを特徴とする電子機器。
【請求項４６】
請求項４５に記載の電子機器であって、
前記状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができることを特徴とする電子機器。
【請求項４７】
請求項４６に記載の電子機器であって、
前記インクは、黒の油性インクであり、一方、前記主要情報は、赤外線をほとんど吸収しないインクで形成される近―Ｋインクで印刷されることを特徴とする電子機器。
【請求項４８】
請求項４７に記載の電子機器であって、
更に、前記標識情報と前記追加情報とのマッピング関係を示すマッピングユニットを備え、前記画像処理回路は、前記標識情報に対応する１つの追加情報を取り出すために前記マッピングユニットに接続されていることを特徴とする電子機器。
【請求項４９】
請求項４７に記載の電子機器であって、
更に、前記標識情報と前記追加情報とのマッピング関係を示すマッピングユニットを備え、前記マッピングユニットは、前記標識情報に対応する１つの追加情報を取り出すことを特徴とする電子機器。
【請求項５０】
請求項４４に記載の電子機器であって、
前記追加情報は、マルチメディア情報を備え、前記出力装置は、前記マルチメディア情報をユーザに出力することを特徴とする電子機器。
【請求項５１】
請求項４４に記載の電子機器であって、
前記図形標識は、前記オブジェクトの表面に書き添えられた媒体に記録されることを特徴とする電子機器。
【請求項５２】
標識情報と、
追加情報と、
前記標識情報と前記追加情報とのマッピング関係と、を備え、
前記標識情報は、それぞれ選択的に複数の図形微細単位を記憶するための複数の状態領域を備える図形標識に対応し、各状態領域は、少なくとも２つの候補状態から１つの状態を表示し、オブジェクトの表面は、多数の指標領域を備え、各指標領域は、１つの指標値に対応し、また、多数の同じ図形標識が各指標領域に配置され、更に、前記オブジェクトの表面は、ユーザが前記主要情報を注視する時、無視できるほどのものである前記図形微細単位と重なり合い且つ共存する主要情報を備えることを特徴とするメモリ媒体。
【請求項５３】
メモリ媒体に接続されて、画像から図形標識を取り込むために及び前記図形標識に対応する追加情報を取り出すために用いられるデジタル信号処理チップを備え、
前記図形標識は、それぞれ選択的に複数の図形微細単位を記憶するための複数の状態領域を備え、各状態領域は、少なくとも２つの候補状態から１つの状態を表示し、前記デジタル信号処理チップは、前記図形微細単位の前記レイアウトを解析して前記複数の標識情報を取り出し、更に、該標識情報を処理し及び／又は変形することによって前記追加情報を取得することを特徴とする画像処理回路。
【請求項５４】
オブジェクトの表面においてユーザによる位置特定動作を可能にする座標位置特定システムであって、前記表面には主要情報が含まれる前記座標位置特定システムにおいて、
前記表面に形成され又多数の座標領域を含む座標系であって、各座標領域は、少なくとも１つの不可視な図形標識を含み、前記図形標識は、前記主要情報と干渉せずに、前記表面上にある前記主要情報と共存する多数の図形微細単位を含み、多数の図形微細単位が、前記図形標識において或るレイアウトに配置され、前記レイアウトは、各座標領域の座標値を示す標識情報に対応する前記座標系と、
前記図形標識から前記レイアウトを取り込み、前記レイアウトに応じて前記座標値を取り出し、また、前記座標値に応じて応答を提供するための装置と、
を備えることを特徴とする座標位置特定システム。
【請求項５５】
請求項５４に記載の座標位置特定システムであって、
前記図形標識は、それぞれ選択的に前記図形微細単位を記憶するための複数の状態領域を備え、各状態領域は、少なくとも２つの候補状態から１つの状態を表示し、各図形標識における状態の組み合わせは、１つの異なる図形標識における状態の組み合わせと異なることを特徴とする座標位置特定システム。
【請求項５６】
請求項５５に記載の座標位置特定システムであって、
前記候補状態は、第１状態と第２状態を備え、前記第１状態では、前記状態領域は、１つの図形微細単位を含み、また、前記第２状態では、前記状態領域は、前記図形微細単位を含まないことを特徴とする座標位置特定システム。
【請求項５７】
請求項５６に記載の座標位置特定システムであって、
前記状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができることを特徴とする座標位置特定システム。
【請求項５８】
請求項５７に記載の座標位置特定システムであって、
各図形微細単位は、実質的に赤外線を吸収するインクで印刷され、また、前記主要情報は、赤外線をほとんど吸収しないインクで印刷され、また、前記光学装置は、赤外線を前記オブジェクトの表面上に出射し、更に、前記画像として前記オブジェクトの表面から応答画像を受信することを特徴とする座標位置特定システム。
【請求項５９】
請求項５８に記載の座標位置特定システムであって、
前記インクは、黒の油性インクであり、一方、前記主要情報は、赤外線をほとんど吸収しない近―Ｋインクで印刷されることを特徴とする座標位置特定システム。
【請求項６０】
請求項５８に記載の座標位置特定システムであって、
各図形微細単位は、蛍光インクで印刷され、また、前記主要情報は、通常の油性インクで印刷され、前記光学装置は、紫外線又は青色の光線を前記オブジェクトの表面上に出射し、更に、前記画像として前記オブジェクトの表面から応答画像を受信することを特徴とする座標位置特定システム。
【請求項６１】
請求項５６に記載の座標位置特定システムであって、
前記選択された領域の各平方センチメートルは、３０００を越える状態領域を含み、その内の７０パーセント未満が前記第１状態にあり、前記状態領域において前記図形微細単位によって占有される面積の百分率は、８０未満であることを特徴とする座標位置特定システム。
【請求項６２】
請求項５６に記載の座標位置特定システムであって、
前記選択された領域の各平方センチメートルは、６０００を越える状態領域を含み、その内の７０パーセント未満が前記第１状態にあり、前記状態領域において前記図形微細単位によって占有される面積の百分率は、８０未満であることを特徴とする座標位置特定システム。
【請求項６３】
電子ブック・システムであって、
ブックのページの表面上にある選択された領域から画像をユーザが取り込むための光学装置であって、前記画像は、不可視で且つ前記ブックのページの表面に書き添えられた図形標識を含むものである前記光学装置と、
前記画像を受信するために前記光学装置に接続された処理回路であって、前記画像から前記図形標識を取り出し、該図形標識を処理し及び／又は変形することによって前記図形標識に対応する追加情報を取得する前記処理回路と、
前記追加情報を取り出し、該追加情報を処理し及び又は変形することによって該追加情報に対応するオーディオ情報を取得するスピーチ回路と、
該スピーチ回路に結合されて前記オーディオ情報に対応する音声を出力するスピーカと、
を備えたことを特徴とする電子ブック・システム。
【請求項６４】
請求項６３に記載の電子ブック・システムであって、
前記図形標識は、或るレイアウトに配置された複数の図形微細単位を備え、前記レイアウトは、標識情報に対応し、前記処理回路は、前記図形微細単位の前記レイアウトを解析して前記標識情報を取り出し、更に、前記図形標識を処理し及び／又は変形することによって前記標識情報から前記追加情報を取得することを特徴とする電子ブック・システム。
【請求項６５】
請求項６４に記載の電子ブック・システムであって、
各図形標識は、極めて狭い範囲の面積を占有し、また、各図形微細単位は、極めて狭い範囲の面積を占有し、更に、各図形標識の図形微細単位の数は、互いに実質的に等しいことを特徴とする電子ブック・システム。
【請求項６６】
請求項６４に記載の電子ブック・システムであって、
前記ブックのページの表面は、前記ブックのページの表面にある前記図形微細単位と重なり合い且つ共存する主要情報を備え、前記図形微細単位は、ユーザが主要情報を注視する時、無視できるほどのものであることを特徴とする電子ブック・システム。
【請求項６７】
請求項６６に記載の電子ブック・システムであって、
前記図形標識は、それぞれ選択的に前記図形微細単位を記憶するための複数の状態領域を備え、前記状態領域は各々、少なくとも２つの候補状態から１つの状態を表示することを特徴とする電子ブック・システム。
【請求項６８】
請求項６７に記載の電子ブック・システムであって、
前記候補状態は、第１状態と第２状態を備え、前記第１状態では、前記状態領域は、１つの図形微細単位を含み、また、前記第２状態では、前記状態領域は、前記図形微細単位を含まないことを特徴とする電子ブック・システム。
【請求項６９】
請求項６８に記載の電子ブック・システムであって、
前記選択された領域の各平方センチメートルは、３０００を越える状態領域を含み、その内の７０パーセント未満が前記第１状態にあり、前記状態領域において前記図形微細単位によって占有される面積の百分率は、８０未満であることを特徴とする電子ブック・システム。
【請求項７０】
請求項６８に記載の電子ブック・システムであって、
前記選択された領域の各平方センチメートルは、６０００を越える状態領域を含み、その内の７０パーセント未満が前記第１状態にあり、前記状態領域において前記図形微細単位によって占有される面積の百分率は、８０未満であることを特徴とする電子ブック・システム。
【請求項７１】
請求項６８に記載の電子ブック・システムであって、
前記状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができることを特徴とする電子ブック・システム。
【請求項７２】
請求項６６に記載の電子ブック・システムであって、
各図形微細単位は、実質的に赤外線を吸収するインクで印刷され、かつ、主要情報は、赤外線をほとんど吸収しないインクで印刷され、また、前記光学装置は、赤外線を前記ブックのページの表面上に出射し、次に、前記画像として前記ブックのページの表面から応答画像を受信することを特徴とする電子ブック・システム。
【請求項７３】
請求項７２に記載の電子ブック・システムであって、
前記インクは、黒の油性インクであり、一方、前記主要情報は、赤外線をほとんど吸収しない近―Ｋインクで印刷されることを特徴とする電子ブック・システム。
【請求項７４】
請求項６６に記載の電子ブック・システムであって、
各図形微細単位は、蛍光インクで印刷され、また、前記主要情報は、通常の油性インクで印刷され、前記光学装置は、紫外線又は青色の光線を前記ブックのページの表面上に出射し、次に、前記画像として前記ブックのページの表面から応答画像を受信することを特徴とする電子ブック・システム。
【請求項７５】
請求項６６に記載の電子ブック・システムであって、
前記ブックのページの表面は、多数の指標領域を備え、各指標領域は、１つの指標値に対応し、また、多数の同じ図形標識が各指標領域に配置されることを特徴とする電子ブック・システム。
【請求項７６】
請求項６３に記載の電子ブック・システムであって、
更に、前記標識情報と前記追加情報とのマッピング関係を示すマッピングユニットを備え、前記処理回路は、前記マッピングユニットに接続されて、前記標識情報に対応する１つの追加情報を取り出すことを特徴とする電子ブック・システム。
【請求項７７】
請求項６３に記載の電子ブック・システムであって、
前記図形標識は、前記ブックのページの表面に書き添えられた媒体に記録されることを特徴とする電子ブック・システム。
【請求項７８】
請求項６３に記載の電子ブック・システムであって、
更に、前記標識情報と前記追加情報とのマッピング関係を示すマッピングユニットを備え、前記マッピングユニットは、前記標識情報に対応する１つの追加情報を取り出すことを特徴とする電子ブック・システム。
【発明の詳細な説明】
【０００１】
【発明の属する技術分野】
本発明は、標識を生成するための方法及び該標識を利用する処理装置とシステムに関し、特に、オブジェクトの表面に書き添えられたもしくは付された標識から追加情報を提供するための方法、装置、システムに関する。
【０００２】
【従来の技術】
古代の昔、人々は、情報を様々な物体の表面に記録することによって情報発信を始めていた。例えば、紙の誕生以来、人々は、紙に書き添えられた文字や図を通して情報を得ていた。更に、最近では、独特の色、文字あるいは図をオブジェクトの表面上の異なる位置に書き添えてもしくは付して、人々は、オブジェクトの各異なる位置に関連して、情報を開示しようとしている。
【０００３】
【発明が解決しようとする課題】
人々がオブジェクトの表面を観察する場合、人々は、通常、情報を視覚的に取り込む。しかしながら、オブジェクトの表面に記録される情報の量又は種類は、一般的に、領域の大きさの制約や表面の見栄えによって制限される。
【０００４】
現代では、電子技術の進歩により、視覚的な情報は、その元の媒体から取り出され又電子機器にデジタル情報として記憶される。そして、人々は、それらの情報を直接電子機器から読取る。しかしながら、デジタル情報が、本に印刷された情報やオブジェクトの表面に書き添えられた情報を完全に置き換えることは、困難である。
【０００５】
また、コンピュータ技術のハイパーリンク手法によって、デジタル情報は、多次元に表示することが可能である一方で、本に印刷された情報やオブジェクトに書き添えられた情報は、依然として２次元で表示される。従って、多次元情報が本やオブジェクトに記録できるならば、人々は、電子機器を通して追加情報を得ることが可能である。
【０００６】
【課題を解決するための手段】
本発明の１つの側面は、図形標識を生成するための方法を提供することである。不可視な図形標識がオブジェクトの表面に幾つか書き添えられるもしくは付される。これらの図形標識は、オブジェクトの表面上でテキストや図等の主要情報と共存し、その主要情報に対する人間の目の知覚を妨げることがない。ユーザは、オブジェクトと連動しない電子システムを通して図形標識を取り出し、その図形標識から追加情報を取得する。
【０００７】
本発明の他の側面は、図形標識を利用する装置とシステムを提供することである。装置又はシステムは、光学読取装置と、処理装置と、出力装置とを含む。光学読取装置は、オブジェクトの表面から図形標識が含まれる画像を取り込み、処理装置は、該図形標識に応答して、該図形標識を処理する及び／又は変形することにより対応する追加情報を取得し、そして出力装置は、その追加情報を出力する。
【０００８】
具体的には、本発明によれば、
処理システムであって、
オブジェクトの表面上にある選択された領域から画像をユーザが取り込むための光学装置であって、前記画像には、不可視で且つ前記オブジェクトの表面に書き添えられたもしくは付された図形標識が含まれる前記光学装置と、
前記画像を受信するための前記光学装置に接続された処理装置であって、前記画像から前記図形標識を取り出し、該図形標識を処理し及び／又は変形することによって前記図形標識に対応する追加情報を取得する前記処理装置と、
前記追加情報を出力するために前記処理装置に接続された出力装置と、
を備えたことを特徴とする処理システムが提供される。
【０００９】
この場合、前記図形標識は、或るレイアウトに配置された複数の図形微細単位を備え、前記レイアウトは、標識情報に対応し、前記処理装置は、前記図形微細単位の前記レイアウトを解析して前記標識情報を取り出し、更に、該図形標識を処理し及び／又は変形することによって前記標識情報から前記追加情報を取得するものであってよい。
【００１０】
また、各図形標識は、極めて狭い範囲の面積を占有し、また、各図形微細単位は、極めて狭い範囲の面積を占有し、更に、各図形標識の図形微細単位の数は、互いに実質的に等しいものであって良い。
【００１１】
さらに、前記オブジェクトの表面は、前記オブジェクトの表面にある前記図形微細単位と重なり合い且つ共存する主要情報を備え、前記図形微細単位は、ユーザが主要情報を注視する時、無視できるほどのものであって良い。
【００１２】
前記図形標識は、それぞれ選択的に前記図形微細単位を記憶するための複数の状態領域を備え、前記状態領域は各々、少なくとも２つの候補状態から１つの状態を表示するものであって良い。
【００１３】
前記候補状態は、第１状態と第２状態を備え、前記第１状態では、前記状態領域は、１つの図形微細単位を含み、また、前記第２状態では、前記状態領域は、前記図形微細単位を含まないものであって良い。
【００１４】
前記選択された領域の各平方センチメートルは、３０００を越える状態領域を含み、その内の７０パーセント未満が前記第１状態にあり、前記状態領域において前記図形微細単位によって占有される面積の百分率は、８０未満であって良い。
【００１５】
前記選択された領域の各平方センチメートルは、６０００を越える状態領域を含み、その内の７０パーセント未満が前記第１状態にあり、前記状態領域において前記図形微細単位によって占有される面積の百分率は、８０未満であって良い。
【００１６】
前記状態領域は、２次元マトリックス形式に配置され、前記図形標識は、ヘッダ情報とコンテンツ情報を備え、各図形標識内の各ヘッダ情報は、隣接の図形標識から対応の図形標識を識別して、光学装置へ該対応の図形標識の配向を指し示すもしくは示すことができるものであって良い。
【００１７】
各図形微細単位は、実質的に赤外線を吸収するインクで印刷され、また、主要情報は、赤外線をほとんど吸収しないインクで印刷され、また、前記光学装置は、赤外線を前記オブジェクトの表面上に出射し、更に、前記画像として前記オブジェクトの表面から応答画像を受信するものであって良い。
【００１８】
前記インクは、黒の油性インクであり、一方、前記主要情報は、赤外線をほとんど吸収しない近―Ｋインクで印刷されるものであって良い。
各図形微細単位は、蛍光インクで印刷され、また、前記主要情報は、通常の油性インクで印刷され、前記光学装置は、紫外線又は青色の光線を前記オブジェクトの表面上に出射し、更に、前記画像として前記オブジェクトの表面から応答画像を受信するものであって良い。
【００１９】
前記オブジェクトの表面は、多数の指標領域を備え、各指標領域は、１つの指標値に対応し、また、多数の同じ図形標識が各指標領域に配置されるものであって良い。
【００２０】
更に、前記標識情報と前記追加情報とのマッピング関係を示すマッピングユニットを備え、前記処理装置は、前記マッピングユニットに接続されて、前記標識情報に対応する１つの追加情報を取り出すものであって良い。
【００２１】
前記追加情報は、マルチメディア情報を備え、前記出力装置は、前記マルチメディア情報をユーザに出力するものであって良い。
前記図形標識は、前記オブジェクトの表面に書き添えられた媒体に記録されるものであって良い。
【００２２】
更に、前記標識情報と前記追加情報とのマッピング関係を示すマッピングユニットを備え、前記マッピングユニットは、前記標識情報に対応する１つの追加情報を取り出すものであって良い。
【００２３】
また、本発明によれば、オブジェクトの表面において図形標識を生成するための方法であって、ユーザが、電子システムを用いて前記オブジェクトの表面の選択された領域から画像を読取り、前記電子システムは、前記図形標識を取り出し、前記図形標識から追加情報を出力する前記方法において、
不可視な標識情報を前記図形標識にマッピングする段階であって、前記図形標識は、複数の図形微細単位をそれぞれ選択的に記憶するための複数の状態領域を備え、又前記状態領域は各々少なくとも２つの候補状態から１つの状態を選択する前記段階と、
前記図形標識を前記オブジェクトの表面に書き添えるもしくは付す段階と、
を備えることを特徴とする方法が提供される。
【００２４】
前記オブジェクトの表面は、前記図形微細単位と重なり合い且つ共存する主要情報を備え、また、前記図形微細単位は、ユーザが前記主要情報を注視する時、無視できるほどのものであって良い。
【００２５】
各図形標識は、極めて狭い範囲の面積を占有し、また、各図形微細単位は、極めて狭い範囲の面積を占有し、更に、各図形標識の図形微細単位の数は、互いに実質的に等しいものであって良い。
【００２６】
前記選択された領域の各平方センチメートルは、３０００を越える状態領域を含み、その内の７０パーセント未満が前記第１状態にあり、前記状態領域において前記図形微細単位によって占有される面積の百分率は、８０未満であって良い。
【００２７】
前記選択された領域の各平方センチメートルは、６０００を越える状態領域を含み、その内の７０パーセント未満が前記第１状態にあり、前記状態領域において前記図形微細単位によって占有される面積の百分率は、８０未満であって良い。
【００２８】
各図形微細単位は、実質的に赤外線を吸収するインクで印刷され、また、主要情報は、赤外線をほとんど吸収しないインクで印刷されるものであって良い。
前記インクは、黒の油性インクであり、また、前記主要情報は、赤外線をほとんど吸収しないインクで形成される近―Ｋインクで印刷されるものであって良い。
【００２９】
各図形微細単位は、蛍光インクで印刷され、また、前記主要情報は、通常の油性インクで印刷されるものであって良い。
前記オブジェクトの表面は、多数の指標領域を備え、各指標領域は、１つの指標値に対応し、また、多数の同じ図形標識が各指標領域に配置されるものであって良い。
【００３０】
前記オブジェクトは、印刷可能な媒体であり、また、前記図形標識は、印刷によって、前記印刷可能な表面上に書き添えられるもしくは付されるものであって良い。
【００３１】
前記図形標識は、前記オブジェクトの表面に書き添えられたもしくは付された媒体に記録されるものであって良い。
本発明によれば、また、多数の指標領域を含むオブジェクトの表面であって、多数の不可視な図形標識が各指標領域に配置される前記オブジェクトの表面と、
前記オブジェクトの表面上にある選択された領域をユーザが取り込むための光学装置が含まれる電子システムであって、前記光学装置は、前記選択された領域から画像を取り込み、前記電子システムは、前記画像から前記図形標識を取り出し、また、１つの図形標識に対応する追加情報を用いて、応答を生成する前記電子システムと、
を備えることを特徴とする処理システムが提供される。
【００３２】
この場合、各図形標識は、或るレイアウトに配置された複数の図形微細単位を備え、前記レイアウトは、標識情報に対応し、前記処理装置は、前記図形微細単位の前記レイアウトを解析して前記標識情報を取り出し、更に、該標識情報を処理し及び／又は変形することによって前記標識情報から前記追加情報を取得するものであって良い。
【００３３】
前記オブジェクトの表面は、前記オブジェクトの表面にある前記図形微細単位と重なり合い且つ共存する主要情報を備え、前記図形微細単位は、ユーザが主要情報を注視する時、無視できるほどのものであって良い。
【００３４】
各図形標識は、それぞれ選択的に前記図形微細単位を記憶するための複数の状態領域を備え、各状態領域は、少なくとも２つの候補状態から１つの状態を表示するものであって良い。
【００３５】
各図形標識は、極めて狭い範囲の面積を占有し、また、各図形微細単位は、極めて狭い範囲の面積を占有し、更に、各図形標識の図形微細単位の数は、互いに実質的に等しいものであって良い。
【００３６】
前記選択された領域の各平方センチメートルは、３０００を越える状態領域を含み、その内の７０パーセント未満が前記第１状態にあり、前記状態領域において前記図形微細単位によって占有される面積の百分率は、８０未満であって良い。
【００３７】
前記選択された領域の各平方センチメートルは、６０００を越える状態領域を含み、その内の７０パーセント未満が前記第１状態にあり、前記状態領域において前記図形微細単位によって占有される面積の百分率は、８０未満であって良い。
【００３８】
前記候補状態は、第１状態と第２状態を備え、前記第１状態では、前記状態領域は、１つの図形微細単位を含み、また、前記第２状態では、前記状態領域は、前記図形微細単位を含まないものであって良い。
【００３９】
状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができるものであって良い。
【００４０】
各図形微細単位は、実質的に赤外線を吸収するインクで印刷され、また、主要情報は、赤外線をほとんど吸収しないインクで印刷され、また、前記光学装置は、赤外線を前記オブジェクトの表面上に出射し、更に、前記画像として前記オブジェクトの表面から応答画像を受信するものであって良い。
【００４１】
前記インクは、黒の油性インクであり、一方、前記主要情報は、赤外線をほとんど吸収しないインクで形成される近―Ｋインクで印刷されるものであって良い。
【００４２】
各図形微細単位は、蛍光インクで印刷され、また、前記主要情報は、通常の油性インクで印刷され、前記光学装置は、紫外線又は青色の光線を前記オブジェクトの表面上に出射し、更に、前記画像として前記オブジェクトの表面から応答画像を受信するものであって良い。
【００４３】
前記オブジェクトの表面は、多数の指標領域を備え、各指標領域は、１つの指標値に対応し、また、多数の同じ図形標識が各指標領域に配置されるものであって良い。
【００４４】
前記応答には、前記追加情報をユーザに出力する段階が含まれて良い。
更に、前記追加情報を受信して前記応答を実現するための応答システムを備えて良い。
【００４５】
本発明によれば、また、オブジェクトの表面上にある選択された領域から画像をユーザが取り込むための、また、前記オブジェクトの表面に赤外線を出射するための、更に、前記画像として前記オブジェクトの表面から応答画像を受信するための光学読取装置であって、前記画像には、不可視で且つ前記オブジェクトの表面に書き添えられる図形標識が含まれ、前記図形標識は、それぞれ選択的に複数の図形微細単位を記憶するための複数の状態領域を含み、各状態領域は、少なくとも２つの候補状態から１つの状態を表示する前記光学読取装置と、
前記光学読取装置に接続され又前記図形標識から前記画像を取り出し、前記図形標識に対応する追加情報を取得するために用いられる画像処理回路と、
前記画像処理回路に接続され又前記追加情報を出力するための出力回路と、を備え、
前記オブジェクトの表面は、多数の指標領域を備え、各指標領域は、１つの指標値に対応し、また、多数の同じ図形標識が各指標領域に配置され、更に、前記オブジェクトの表面は、前記オブジェクトの表面にある前記図形微細単位と重なり合い且つ共存する主要情報を備え、前記図形微細単位は、ユーザが主要情報を注視する時、無視できるほどのものであり、また、各図形微細単位は、実質的に赤外線を吸収するインクで印刷され、また、主要情報は、赤外線をほとんど吸収しないインクで印刷されることを特徴とする電子機器が提供される。
【００４６】
この場合、前記候補状態は、第１状態と第２状態を備え、前記第１状態では、前記状態領域は、１つの図形微細単位を含み、また、前記第２状態では、前記状態領域は、前記図形微細単位を含まないものであって良い。
【００４７】
前記状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができるものであって良い。
【００４８】
前記インクは、黒の油性インクであり、一方、前記主要情報は、赤外線をほとんど吸収しないインクで形成される近―Ｋインクで印刷されるものであって良い。
【００４９】
更に、前記標識情報と前記追加情報とのマッピング関係を示すマッピングユニットを備え、前記画像処理回路は、前記標識情報に対応する１つの追加情報を取り出すために前記マッピングユニットに接続されているものであって良い。
【００５０】
更に、前記標識情報と前記追加情報とのマッピング関係を示すマッピングユニットを備え、前記マッピングユニットは、前記標識情報に対応する１つの追加情報を取り出すものであって良い。
【００５１】
前記追加情報は、マルチメディア情報を備え、前記出力装置は、前記マルチメディア情報をユーザに出力するものであって良い。
前記図形標識は、前記オブジェクトの表面に書き添えられた媒体に記録されるものであって良い。
【００５２】
また、本発明によれば、標識情報と、
追加情報と、
前記標識情報と前記追加情報とのマッピング関係と、を備え、
前記標識情報は、それぞれ選択的に複数の図形微細単位を記憶するための複数の状態領域を備える図形標識に対応し、各状態領域は、少なくとも２つの候補状態から１つの状態を表示し、オブジェクトの表面は、多数の指標領域を備え、各指標領域は、１つの指標値に対応し、また、多数の同じ図形標識が各指標領域に配置され、更に、前記オブジェクトの表面は、ユーザが前記主要情報を注視する時、無視できるほどのものである前記図形微細単位と重なり合い且つ共存する主要情報を備えることを特徴とするメモリ媒体が提供される。
【００５３】
更に、本発明によれば、メモリ媒体に接続されて、画像から図形標識を取り込むために及び前記図形標識に対応する追加情報を取り出すために用いられるデジタル信号処理チップを備え、
前記図形標識は、それぞれ選択的に複数の図形微細単位を記憶するための複数の状態領域を備え、各状態領域は、少なくとも２つの候補状態から１つの状態を表示し、前記デジタル信号処理チップは、前記図形微細単位の前記レイアウトを解析して前記複数の標識情報を取り出し、更に、該標識情報を処理し及び／又は変形することによって前記追加情報を取得することを特徴とする画像処理回路が提供される。
【００５４】
また、更に、本発明によれば、オブジェクトの表面においてユーザによる位置特定動作を可能にする座標位置特定システムであって、前記表面には主要情報が含まれる前記座標位置特定システムにおいて、
前記表面に形成され又多数の座標領域を含む座標系であって、各座標領域は、少なくとも１つの不可視な図形標識を含み、前記図形標識は、前記主要情報と干渉せずに、前記表面上にある前記主要情報と共存する多数の図形微細単位を含み、多数の図形微細単位が、前記図形標識において或るレイアウトに配置され、前記レイアウトは、各座標領域の座標値を示す標識情報に対応する前記座標系と、
前記図形標識から前記レイアウトを取り込み、前記レイアウトに応じて前記座標値を取り出し、また、前記座標値に応じて応答を提供するための装置と、
を備えることを特徴とする座標位置特定システムが提供される。
【００５５】
この場合、前記図形標識は、それぞれ選択的に前記図形微細単位を記憶するための複数の状態領域を備え、各状態領域は、少なくとも２つの候補状態から１つの状態を表示し、各図形標識における状態の組み合わせは、１つの異なる図形標識における状態の組み合わせと異なるものであって良い。
【００５６】
前記候補状態は、第１状態と第２状態を備え、前記第１状態では、前記状態領域は、１つの図形微細単位を含み、また、前記第２状態では、前記状態領域は、前記図形微細単位を含まないものであって良い。
【００５７】
前記状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができるものであって良い。
【００５８】
各図形微細単位は、実質的に赤外線を吸収するインクで印刷され、また、前記主要情報は、赤外線をほとんど吸収しないインクで印刷され、また、前記光学装置は、赤外線を前記オブジェクトの表面上に出射し、更に、前記画像として前記オブジェクトの表面から応答画像を受信するものであって良い。
【００５９】
前記インクは、黒の油性インクであり、一方、前記主要情報は、赤外線をほとんど吸収しない近―Ｋインクで印刷されるものであって良い。
各図形微細単位は、蛍光インクで印刷され、また、前記主要情報は、通常の油性インクで印刷され、前記光学装置は、紫外線又は青色の光線を前記オブジェクトの表面上に出射し、更に、前記画像として前記オブジェクトの表面から応答画像を受信するものであって良い。
【００６０】
前記選択された領域の各平方センチメートルは、３０００を越える状態領域を含み、その内の７０パーセント未満が前記第１状態にあり、前記状態領域において前記図形微細単位によって占有される面積の百分率は、８０未満であって良い。
【００６１】
前記選択された領域の各平方センチメートルは、６０００を越える状態領域を含み、その内の７０パーセント未満が前記第１状態にあり、前記状態領域において前記図形微細単位によって占有される面積の百分率は、８０未満であって良い。
【００６２】
更に、本発明によれば、電子ブック・システムであって、
ブックのページの表面上にある選択された領域から画像をユーザが取り込むための光学装置であって、前記画像は、不可視で且つ前記ブックのページの表面に書き添えられた図形標識を含むものである前記光学装置と、
前記画像を受信するために前記光学装置に接続された処理回路であって、前記画像から前記図形標識を取り出し、該図形標識を処理し及び／又は変形することによって前記図形標識に対応する追加情報を取得する前記処理回路と、
前記追加情報を取り出し、該追加情報を処理し及び又は変形することによって該追加情報に対応するオーディオ情報を取得するスピーチ回路と、
該スピーチ回路に結合されて前記オーディオ情報に対応する音声を出力するスピーカと、
を備えたことを特徴とする電子ブック・システムが提供される。
【００６３】
この場合、前記図形標識は、或るレイアウトに配置された複数の図形微細単位を備え、前記レイアウトは、標識情報に対応し、前記処理回路は、前記図形微細単位の前記レイアウトを解析して前記標識情報を取り出し、更に、前記図形標識を処理し及び／又は変形することによって前記標識情報から前記追加情報を取得するものであって良い。
【００６４】
各図形標識は、極めて狭い範囲の面積を占有し、また、各図形微細単位は、極めて狭い範囲の面積を占有し、更に、各図形標識の図形微細単位の数は、互いに実質的に等しいものであって良い。
【００６５】
前記ブックのページの表面は、前記ブックのページの表面にある前記図形微細単位と重なり合い且つ共存する主要情報を備え、前記図形微細単位は、ユーザが主要情報を注視する時、無視できるほどのものであって良い。
【００６６】
前記図形標識は、それぞれ選択的に前記図形微細単位を記憶するための複数の状態領域を備え、前記状態領域は各々、少なくとも２つの候補状態から１つの状態を表示するものであって良い。
【００６７】
前記候補状態は、第１状態と第２状態を備え、前記第１状態では、前記状態領域は、１つの図形微細単位を含み、また、前記第２状態では、前記状態領域は、前記図形微細単位を含まないものであって良い。
【００６８】
前記選択された領域の各平方センチメートルは、３０００を越える状態領域を含み、その内の７０パーセント未満が前記第１状態にあり、前記状態領域において前記図形微細単位によって占有される面積の百分率は、８０未満であって良い。
【００６９】
前記選択された領域の各平方センチメートルは、６０００を越える状態領域を含み、その内の７０パーセント未満が前記第１状態にあり、前記状態領域において前記図形微細単位によって占有される面積の百分率は、８０未満であって良い。
【００７０】
前記状態領域は、２次元マトリックス形式に配置され、前記図形標識は、ヘッダ情報とコンテンツ情報を備え、各図形標識内の各ヘッダ情報は、隣接の図形標識から対応の図形標識を識別して、該対応の図形標識の配向を前記光学装置に指示することができるものであって良い。
【００７１】
各図形微細単位は、実質的に赤外線を吸収するインクで印刷され、かつ、主要情報は、赤外線をほとんど吸収しないインクで印刷され、また、前記光学装置は、赤外線を前記ブックのページの表面上に出射し、次に、前記画像として前記ブックのページの表面から応答画像を受信するものであって良い。
【００７２】
前記インクは、黒の油性インクであり、一方、前記主要情報は、赤外線をほとんど吸収しない近―Ｋインクで印刷されて良い。
各図形微細単位は、蛍光インクで印刷され、また、前記主要情報は、通常の油性インクで印刷され、前記光学装置は、紫外線又は青色の光線を前記ブックのページの表面上に出射し、次に、前記画像として前記ブックのページの表面から応答画像を受信するものであって良い。
【００７３】
前記ブックのページの表面は、多数の指標領域を備え、各指標領域は、１つの指標値に対応し、また、多数の同じ図形標識が各指標領域に配置されるものであって良い。
【００７４】
更に、前記標識情報と前記追加情報とのマッピング関係を示すマッピングユニットを備え、前記処理回路は、前記マッピングユニットに接続されて、前記標識情報に対応する１つの追加情報を取り出すものであって良い。
【００７５】
前記図形標識は、前記ブックのページの表面に書き添えられた媒体に記録されて良い。
更に、前記標識情報と前記追加情報とのマッピング関係を示すマッピングユニットを備え、前記マッピングユニットは、前記標識情報に対応する１つの追加情報を取り出すものであって良い。
【００７６】
【発明の実施の形態】
本発明は、図形標識を生成するための方法と、図形標識を利用する対話型システムとを提供する。不可視な図形標識がオブジェクトの表面に幾つか書き添えられる。これらの図形標識は、オブジェクトの表面上でテキストや図等の主要情報と共存し、その主要情報に対する人間の目の知覚を妨げることがない。ユーザは、電子システムを通して図形標識を取り出し、その図形標識から追加情報を取得する。ユーザは、座標系を備えた複雑なプラットフォームを用いることなく、図形標識を利用し得る。更に、図形標識によって、通常の本やオブジェクトの表面は更に多くの情報を担持し得る。
【００７７】
図形標識の代表的な設計
本発明において、図形標識の１つの側面は、図形標識が、オブジェクトの表面上において主要情報を妨げない程度に不可視なことである。図形標識の他の側面は、電子システムが図形標識を読取る際、図形標識が表面上の他の情報によって妨げられないことである。
【００７８】
図形標識の不可視な特徴のために、各図形標識は、あるレイアウトに配置された多数の図形微細単位を含む。縮尺が２．５：１の図１に示すように、“ＡＰＰＬＥ”の背景における図形微細単位の組み合わせ１００は、図形微細単位から成るマトリックスである。微細単位は、図形微細単位の組み合わせ１００が不可視になるように又は人間の目で背景成分として見えるように更に減ずることが可能である。
【００７９】
実際の用途では、図形微細単位は、丸いスポット等の規則正しい形であったり不規則な形であったりすることがある。最適な結果を得るために、図形微細単位は、顕微鏡装置でしかそれを検出できない程微小でなければならない。
【００８０】
図形微細単位が微小であり、また、レイアウトで疎に配置される場合、ユーザは、図形微細単位の組み合わせ１００を簡単に無視して、図１に示す“ＡＰＰＬＥ”という言葉のような主要情報に注意を払うことができる。次に、情報を担持するために図形標識を如何に用いるかについて説明する。
【００８１】
図形微細単位の組み合わせ１００は、順次配置された多数の図形標識から成る。各図形標識は、図形微細単位をそれぞれ選択的に記憶するための多数の状態領域を含み、ここで、状態領域は各々、少なくとも２つの候補状態から１つの状態を表示する。
【００８２】
例えば、図１の図形標識の１つを拡大したものを図２に示す。図形標識１１には、状態領域１１３が６×６マトリックスの形式で３６単位含まれる。各状態領域１１３は、第１又は第２状態を表すために、選択的に１つの図形微細単位を含んだり、その図形微細単位を含まなかったりする。
【００８３】
第１状態の状態領域１１３における微細単位が、“１”の値を割当てられ、また、第２状態の状態領域１１３における微細単位が、“０”の値を割当てられる場合、図３に示すビットマトリックス形式１１４が生じる。従って、ビットマトリックス形式１１４は、予想された様に又は希望通りに様々な情報を記憶する。言い換えると、ユーザは、状態領域の異なる値の組み合わせに基づき、所望の情報を記憶し得る。
【００８４】
更に、多数の図形標識並びに図形微細単位は、２次元マトリックス形式で配置される。図形標識や図形微細単位のこのような配置は、人間の目には均質に見える。次に、本発明は、このマトリックス形式の図形標識から個々の図形標識を取り出すための方法を提供する。
【００８５】
縮尺が１００：１の図２に示すように、図形標識１１には、異なる標識情報に対応するレイアウトで配置されたヘッダ情報１１１とコンテンツ情報１１２が含まれる。１つの実施形態において、全てのヘッダ情報１１１は、異なる図形標識１１間において同じである。しかしながら、包含的な設計に対しては、各図形標識内の各ヘッダ情報が、隣接の図形標識から対応の図形標識を識別して、光学装置へ該対応の図形標識の配向を指し示すことができる限りにおいて、一組以上のヘッダ情報が用いられ得る。他方、コンテンツ情報１１２の異なる値は、異なる標識情報を表す。従って、１つの図形標識１１は、１つのヘッダ情報１１１を取り込むことによって読取られ、また、図形標識１１は、各隣接する図形標識１１と干渉しない。しかしながら、他の実施形態において、ヘッダ情報を用いて、対応するコンテンツ情報をシステムが取り出し得る限り、１つの図形標識１１におけるヘッダ情報１１１は、他の図形標識１１のそれと異なってもよい。
【００８６】
縮尺が１２０：１の図４は、本発明に基づく２次元マトリックス形式を示す概略図である。まず、ユーザは、ヘッダ情報１１１を検索し、更に、図形標識１１と対応するコンテンツ情報１１２を取り出す。
【００８７】
更に、迅速に標識情報を取り出すために、図６に示すように、処理中、図形標識のマトリックス形式に対応する画像は、回転され又ビットマトリックス形式に変換される。
【００８８】
更に、オブジェクトの表面を多数の指標領域に分割する。各領域は、指標値に対応する。同一の標識情報に対応する図形標識は、各指標領域に繰り返し配置される。異なる標識情報に対応する図形標識は、異なる指標領域に繰り返し配置される。本発明のシステムメーカは、電子機器における指標領域に対する標識情報の対応関係を記録する。電子機器は、指標領域から画像を取り込む場合、その対応関係を用いて、その領域の指標値を得ることができる。
【００８９】
例えば、縮尺が２０：１の図５は、本発明に基づく指標領域と図形標識とを示す拡大図である。同一の標識情報に対応する図形標識１１は、指標領域１２に配置される。異なる標識情報に対応する図形標識は、それぞれ他の指標領域に配置される。
【００９０】
図形標識に対しては、他の実施形態が可能である。例えば、図７乃至９は、本発明に基づく図形標識に対する他の実施形態を示す図である。図７乃至９に示すように、縦セグメントは、第１状態を表し、横セグメントは第２状態を表す。
更に、図１０は、本発明に基づく図形標識の配置に対する他の実施形態を示す図である。図１乃至６のマトリックス配置と異なり、図１０には、セル配置が記載されている。
【００９１】
また、図１１に示すように、他の選択肢として、異なる図形標識を１つの指標領域に配置してもよい。文字“Ａ”、“Ｂ”、“Ｃ”、“Ｄ”は、４つの異なる標識情報に対応する４つの異なる図形標識をそれぞれ表す。それら４つの異なる図形標識は、図１１に示すように、１つの指標領域内に順次繰り返し配置される。
【００９２】
人間の目に見えない図形標識に対して要求される事柄がある。第１に、各図形標識は、微小でなければならず、また、人間の目が図形標識を互いに識別出来てはならない。第２に、図形微細単位の大きさ、微細単位間のピッチ、及び所望の視覚効果に従って、用いられる図形微細単位の数を減ずべきである。このように、図形標識は、オブジェクトの表面の輝度にほとんど影響を及ぼさない。更に、各図形標識の図形微細単位の数は、実質的に互いに等しく、従って、図形標識は、人間の目には更に均質に見え、人間の目に対して不可視になる。
【００９３】
第１の実施形態において、選択された領域の各平方センチメートルには、３０００を越える状態領域が含まれ、この内の７０パーセント未満が第１状態にあり、また、この状態領域の図形微細単位によって占有される面積の百分率は、８０未満である。
【００９４】
第２実施形態において、選択された領域の各平方センチメートルには、６０００を越える状態領域が含まれ、この内の７０パーセント未満が第１状態にあり、また、この状態領域の図形微細単位によって占有される面積の百分率は、８０未満である。
【００９５】
以下、オブジェクトの表面上の主要情報との干渉を起こさず、電子システムによって図形標識を取り込むための方法を提供する。
まず、赤外線と油性インクが利用される方法を以下に示す。
【００９６】
従来の媒体に情報を印刷する間、基本の色インク、すなわち、シアン（Ｃ）、マゼンタ（Ｍ）、黄（Ｙ）、及び黒（Ｋ）の組み合わせによって、所望の色が得られる。一般的に、Ｃ、Ｙ、及びＭの組み合わせを調整することによって色相及び飽和度が得られ、また、Ｋを調整することによって輝度が得られる。
【００９７】
赤外線は、ほとんどのＣ、Ｍ、Ｙの基本の色インクに対しては、透過率が高いが、ほとんどのＫの色インクに対しては、透過率が低いことに留意されたい。言い換えると、Ｃ、Ｍ、Ｙの色インクは、赤外線をほとんど吸収しないが、黒の色インクは、赤外線をほぼ吸収する。従って、赤外線は、ほとんどのＣ、Ｍ、Ｙの色インクを透過し、また、Ｃ、Ｍ、Ｙの色インク下の色が薄いオブジェクト表面からの反射後、高い輝度を呈する。反対に、黒色で印刷された表面は、ほとんどの黒の色インクが赤外線を吸収することから、低い輝度を呈する。従って、検出器が、ほとんどの黒の色インクで印刷された図形標識に対応する画像を受信する場合、その画像は、ほとんどのＣ、Ｍ、Ｙの色インクで印刷された主要情報とは干渉しない。
【００９８】
他方、主要情報を黒で印刷する必要がある場合、明細書において近―Ｋと呼ぶ赤外線をほとんど吸収しない１つのタイプの黒色を用いて、その主要情報を印刷する。所定の割合でＣ、Ｍ、Ｙの色を混色すると、暗藍色又は暗褐色等の見た目に黒色を呈する近―Ｋができる。Ｃ、Ｍ、Ｙの色を混色して近―Ｋを得るための割合は、当業者には良く知られている。近―ＫはＣ、Ｍ、Ｙの色インクによって作られるため、近―Ｋは赤外線によって透過可能である。また、この配置と協働するために、Ｋ（黒）色を用いて、図形標識を印刷する。
【００９９】
上述の説明において、黒色を例に用いたが、これに限定するものではない。赤外線をほぼ吸収し得る他のインクを用いて図形標識を印刷し得る。この手法には、低コストであるという利点がある。如何なるタイプの油性インクでも、それがどのような色を呈しても、赤外線をほぼ吸収し得る油性インク図形標識の印刷に適しており、また、本願が意図する保護範囲であることに留意されたい。赤外線により透過可能であり又視覚的に黒に近いあらゆるタイプの油性インク、すなわち、炭素を含まない食用クラスの一部の油性インクも近―Ｋ色として用い得る。近―Ｋ色は、表面への主要情報の印刷の際、４つの基本色（Ｃ、Ｍ、Ｙ、Ｋ）の黒色としての役割を果たす。
【０１００】
他方、ほとんどの油性インクが紫外線又は青色の光を吸収することが知られている。すなわち、これらの油性インクは、紫外線や青色の光で照射された場合、可視スペクトルの光を生成しない。しかしながら、蛍光インク等の特別なタイプのインクは、紫外線や青色の光で照射されている場合も目に見える画像を生成する。従って、この手法において、図形標識は、蛍光インクで印刷し、主要情報は、代表的な油性インクで印刷する。この配置に対処するために、画像を読取りつつ、紫外線や青色の光を用いて、オブジェクトの表面を照射する。その後、不要なスペクトル部をフィルタ処理するための光学フィルタを実装することによって非干渉画像を得ることができる。
【０１０１】
他の方法は、可視光を直接用いることである。検出器が１つでも図形標識を検出する限り、主要情報と重なり合わない数多くの図形標識があるため、その標識情報を得ることができる。
【０１０２】
標識情報を生成するもしくは準備するには、複数の手法がある。例えば、追加情報は、圧縮符号化法によって標識情報に符号化される。電子システムは、標識情報を取り出す場合、標識情報を復号化することによって追加情報を取得する。この方法を採用する場合、本発明の処理装置は、図形標識に応答し、該図形標識を処理する（すなわち解読する）ことによって対応の追加情報を取得する。
【０１０３】
標識情報から追加情報を得るための他の方法は、電子システムに記憶されたマッピングユニットを用いることである。マッピングユニットの実施形態には、データベース又は参照テーブル（ルックアップテーブル）等が含まれる。マッピングユニットを実際に履行するものには、ハードディスク、フロッピディスク、コンパクトディスク、読取専用メモリ、又はメモリカードが含まれる。電子システムは、マッピングユニットを介して、標識情報に対応する追加情報を取得する。この方法を採用する場合、処理装置は、図形標識に応答し、図形標識を変形することにより対応の追加情報を取得する。更に、もっと複雑な設計に対しては、処理装置は、図形標識に応答して、図形標識を処理する及び／又は変形することによって対応の追加情報を取得する。
【０１０４】
図形標識を利用する代表的な電子システム
図１２は、本発明に基づく電子システム３１を示す概略図である。電子システム３１には、光学装置３１１すなわち画像取込装置、処理装置３１２すなわち画像処理回路、及び出力装置３１３すなわち出力回路が含まれる。処理装置３１２は、光学装置３１１に有線又は無線で接続される。同様に、処理装置３１２は、出力装置３１３に有線又は無線で接続される。
【０１０５】
図１３は、本発明に基づく電子システムの動作を示す概略フローチャートである。光学装置３１１は、図形標識を含むオブジェクトの表面から画像を取り込む（ステップ４１）。次に、処理装置３１２は、画像から図形標識を取り出し（ステップ４２）図形標識に対応する追加情報を取得する（ステップ４３）。出力装置３１３は、処理装置３１２から追加情報を取り出して、その追加情報を出力する（ステップ４４）。
【０１０６】
図１４は、本発明に基づく処理システムの実施形態を示す図である。主要情報は、オブジェクト５１の表面に印刷される。本実施形態の主要情報は、多数のアイコンと、対応する挿絵５１３とを含む。一般的に、このような主要情報は、通常の言葉の学習本又は子供の学習本に用いられる。このオブジェクトは、プラスチック、紙、又は任意の印刷可能な担体で作製されている。
【０１０７】
更に、オブジェクト５１の表面には、それぞれのアイコンや挿絵５１３が書き添えられた多数の指標領域が含まれる。特に、アイコンに対応する指標領域は、多数の同一の図形標識５１２で印刷される。明瞭に示すために、図形標識５１２は、目に見えるようにしているが、実際には、図形標識５１２は、人間の裸眼には不可視な程微小である。
【０１０８】
本実施形態において、アイコンは、人間の目５２によって直接取り込まれる。更に、電子システム３１を用いて、図形標識５１２に対応する追加情報を取得する。
【０１０９】
電子システム３１は、図形標識５１２が書き添えられた領域に向けられると、光学装置３１１は、図形標識５１２が含まれる画像を取り込み、その画像を処理装置３１２に転送する。更に、処理装置３１２は、画像から図形標識５１２を取り出し、図形標識５１２に対応する追加情報を取得する。実施形態において、追加情報は、英語で馬の発音等の音声情報や、馬の挿絵など他の映像情報を含む。次に、出力装置３１３は、音声情報をスピーカ３１３１で出力し、また、表示パネル３１３２で映像情報を出力する。更に、また、嗅覚又は触覚情報等の人間が感知し得る他の種類の情報も出力し得る。
【０１１０】
図１５は、本発明に基づく電子機器の詳細を示す概略図である。実施形態において、電子機器には、光学読取装置６１、画像処理回路６２、及び出力回路６３が含まれる。光学読取装置６１には、１つ以上のセンサユニット６１１及び１つ以上の放射光源６１２が含まれる。代表的なセンサユニット６１１には、電荷結合装置（ＣＣＤ）又はＣＭＯＳセンサユニット等のセンサマイクロユニットが含まれる。実施形態において、画像処理回路６２には、デジタル信号プロセッサ６２１（ＤＳＰ）及び読取専用メモリカード（ＲＯＭカード）６２２が含まれる。読取専用メモリカード（ＲＯＭカード）６２２は、マッピングユニットとして機能する。
【０１１１】
図１５及び図１６は共に実施形態の動作を示す。図１６は、図１５の電子機器の動作を示す概略フローチャートである。光学読取装置６１の放射光源６１２は、放射光線６１３をオブジェクト６４の表面に照射する（ステップ７１）。オブジェクト６４の表面は、放射光線６１３の一部を吸収し、その光を反射又は散乱させる。センサユニット６１１は、後続のレンズ６１５と光学フィルタ６１６とを介して散乱光６１４を取り込み、画像を形成し（ステップ７２）、その画像を電子情報に変換する（ステップ７３）。
【０１１２】
センサユニット６１１は、画像処理のために、その電子情報を画像処理回路６２に転送する。画像処理回路６２は、その電子情報から図形微細単位の組み合わせを抽出する（７４）。代表的な組み合わせの図形微細単位は、図１乃至図５において、１００で示す。次に、画像処理回路６２は、図形微細単位の組み合わせを数字コードに変換する（ステップ７５）。例えば、図２の図形微細単位の組み合わせは、図３に示すビットアレイに変わる。次に、画像処理回路６２は、数字コードに基づき標識情報を取り出し（ステップ７６）、更に、標識情報に対応する音声情報を取得する（ステップ７７）。実施形態において、ＲＯＭカード６２２は、標識情報と追加情報のマッピングの関係を記憶する。デジタル信号プロセッサ６２１は、上述した画像処理を実行する。
【０１１３】
次に、出力回路６３は、追加情報を出力する（ステップ７８）。実施形態において、追加情報は、音声情報である。出力回路６３には、放射光源６１２によって照射されるオブジェクトの表面上にある領域に対応する音声情報を出力するスピーカが含まれる。
【０１１４】
他の選択肢として、読取専用メモリカード（ＲＯＭカード）６２２自体は、内蔵のデジタル信号プロセッサを含む。この配置において、マッピングユニットすなわち読取専用メモリカード（ＲＯＭカード）６２２は、デジタル信号プロセッサ６２１からの命令に応じて、標識情報に対応する追加情報を取り出す。
【０１１５】
図１７は、本発明に基づく１つの実際の用途を示す概略図である。実施形態において、光学装置には入力ペン８１が含まれる。処理装置は、汎用コンピュータ８２に埋め込まれ、また、プログラム可能である。出力装置には、モニタ８３１とスピーカ８３２が含まれる。本８０は、所定の位置に本発明の図形標識を有し、ディスク８２１には本８０が伴う。“ＢＯＯＫ”と印刷された領域等の本８０の選択された領域にユーザが入力ペン８１を向けると、入力ペン８１の光学装置は、選択された領域の画像を取り込み、ディスク８２１にあるプログラムによって動作する汎用コンピュータ８２にそれを転送する。汎用コンピュータ８２は、画像を処理し、ディスク８２１の制御下にある追加情報を取得し、追加情報を取り出す。追加情報には、取り出した図形標識の説明と音声情報とが含まれる。次に、汎用コンピュータ８２に接続されたモニタ８３１は、挿絵８３４を出力し、また、スピーカ８３２は、音声情報を出力する。
【０１１６】
また、更に、追加情報には、他の対話型装置を制御するための命令を含んでもよい。
情報入力用途
図１８は、本発明に基づく応答装置を制御するために用いられる追加情報を示す概略図である。オブジェクト９０の表面には、多数の指標領域が含まれ、また、各指標領域は、従来のキー文字に関する英数字情報等の１つの主要情報９０１１を有する。更に、１つの所望の図形標識９０１２が同じ指標領域に書き添えられる。
【０１１７】
電子システム９１の光学装置は、図形標識９０１２が含まれる画像を取り込む。電子システム９１の処理装置は、画像から図形標識９０１２を取り出し、図形標識９０１２に対応する追加情報を取得する。追加情報は、主要情報９０１１に対応する命令である。電子システム９１は、その命令を応答装置９２に転送する。例えば、応答装置９２は、対応するピアノキーの音を生成し得る音声装置であってもよい。パターンを変更しつつ同じ考え方で、オブジェクト９０は、簡単にコンピュータのキーボードや計算器のキーボードになり得る。応答装置９２には、移動電話、携帯情報端末、ノート、及び他の電子装置を含んでもよい。
【０１１８】
図１９は、情報機器への本発明の適用を示す概略図である。対話型テレビ１０１には、ユーザ対話型命令を受信するためのセットトップボックス１０１１が備えられている。ケーブルＴＶ番組供給業者によって提供されたパンフレット１０３は、本発明の図形標識を含むようになっている。ユーザが、リモコン１０２内の入力装置で１つの番組１０４を選択すると、入力装置は、番組１０４の画像から図形標識を取り出し、その図形標識に対応する追加情報を取得する。実施形態において、追加情報は、セットトップボックス１０１１に対する命令である。リモコン１０２の出力装置は、命令をセットトップボックス１０１１に転送するための赤外線出射器である。次に、本発明は、対話型テレビ１０１に入力の解決策を提供する。
【０１１９】
制御機能用途
視覚的又は嗅覚的あるいは感動的な効果の他に、追加情報は、制御命令を含む。図２０は、他の装置を制御するために用いられる追加情報を示す概略図である。図示したように、応答装置１００１には、操り人形１００１１、１００１２、１００１３、語線表示パネル１００１４、及び表示パネル１００１５が含まれる。スクリプト帳１００１８がコンテンツに対応する図形標識を含むために備えられている。ユーザは、電子装置１００１６を用いて、特定のコンテンツを選択する。例えば、ユーザが、良く晴れた日を表示パネル１００１５に表示したい場合、ユーザは、電子装置１００１６を用いて、スクリプト帳１００１８上の対応する図形標識を取り込む。電子装置１００１６は、その図形標識を取り出し、対応する追加情報を取得する。追加情報は、応答装置１００１を制御するために送信される命令１００１７である。電子装置１００１６は、無線又は赤外線送信によって、命令１００１７を応答装置１００１に転送する。応答装置１００１は、命令１００１７に応じて、良く晴れた日を表示パネル１００１５上に表示する。
【０１２０】
電子装置１００１６は、ダイアログ１００１９に対応しているため、電子装置１００１６は、ダイアログ１００１９に関連する図形標識を取り出し、更に、追加情報の命令を取得する。電子装置１００１６は、その命令を応答装置１００１及び操り人形１００１２に転送する。応答装置１００１は、ダイアログ１００１９を語線表示パネル１００１４に表示し、操り人形１００１２は、動く時、会話を行う。
【０１２１】
バーコードの代替
本発明の特徴は、従来のバーコードと異なる。図２１は、従来技術における従来のバーコード１０００１を示すグラフである。図２２は、本発明の標識１０００２、１０００３の使用方法を示すグラフである。１つの実施形態において、従来のバーコード１０００１に潜在的に記憶された情報が、ここでは、本発明によって提供された図形標識１０００２に記憶され、編集者すなわち書く人の情報が本発明によって提供される図形標識１０００３に記憶される。図形標識１０００２、１０００３は、表面１００００上の他の主要情報と干渉しない。
【０１２２】
座標位置特定システム用途
座標系が表面に定義されている場合、上述した指標値が座標値であることから、本発明は、座標位置特定システムに実装してもよい。この用途では、座標位置特定システムを用いると、ユーザは、オブジェクト表面において、その表面に主要情報を含みつつ、位置特定を行うことができる。座標位置特定システムには、座標系と装置が含まれる。
【０１２３】
表面に実現された座標系には、多数の座標領域が含まれる。各座標領域は、少なくとも不可視な図形標識を含み、その図形標識には、主要情報と干渉せず表面上で主要情報と共存する多数の図形微細単位が含まれる。多数の図形微細単位は、図形標識のレイアウトに配置されており、そのレイアウトは、各座標領域の座標値を示す標識情報に対応する。装置を用いて、図形標識からレイアウトが取り込まれ、また、レイアウトに応じた座標値が取り出され、更に、座標値に応じて応答が提供される。
【０１２４】
当業者は、本発明の教示内容を維持しつつも装置の数多くの修正や変更を行い得ることを直ちに認識されるであろう。これに伴い、上述の開示は、添付の請求項の範囲によってのみ制限されるものであると解釈すべきである。
【０１２５】
【発明の効果】
以上説明したように、図形標識を生成するための方法と該図形標識を利用するための対話型システムが実現される。これによって、オブジェクトの表面に不可視な図形標識が備えられ、図形標識と主要情報がオブジェクトの表面に共存する。図形標識は、人間の目で見る限り主要情報と干渉せず、オブジェクトの表面にある主要情報以外の他の情報が伝達される。オブジェクトの表面の主要情報に加えて、補助電子装置を用いて追加情報を得たり、対話型の動作を行ったりすることができる。
【図面の簡単な説明】
【図１】本発明に基づくオブジェクトの表面上の図形標識を示す概略図。
【図２】図１の図形標識の１つを示す拡大図。
【図３】ビットアレイに変わる図２の図形微細単位の組み合わせを示す概略図。
【図４】本発明に基づく２次元マトリックス形式を示す概略図。
【図５】指標領域と図形標識を示す拡大図。
【図６】本発明に基づきビットマトリックスに変換される図形標識のマトリックス形式に対応する画像を示す図。
【図７】本発明に基づく様々な実施形態を示す図。
【図８】本発明に基づく様々な実施形態を示す図。
【図９】本発明に基づく様々な実施形態を示す図。
【図１０】本発明に基づく図形標識を配置するための他の実施形態を示す図。
【図１１】本発明に基づく指標領域に配置された様々な図形標識を示す図。
【図１２】本発明に基づく電子システムを示す概略図。
【図１３】本発明に基づく電子システムの動作を示す概略フローチャート。
【図１４】本発明に基づく処理システムの実施形態を示す図。
【図１５】本発明に基づく電子機器を示す概略図。
【図１６】本発明に基づく電子機器の動作を示す概略フローチャート。
【図１７】本発明に基づく１つの実際の用途を示す概略図。
【図１８】本発明に基づく応答装置を制御するために用いられる追加情報を示す概略図。
【図１９】情報機器への本発明の適用を示す概略図。
【図２０】他の装置を制御するために用いられる追加情報を示す概略図。
【図２１】従来技術における従来のバーコードを示すグラフ。
【図２２】本発明の標識の使用方法を示すグラフ。
【符号の説明】
１１・・・図形標識、１１１・・・ヘッダ情報、１１２・・・コンテンツ情報、１１４・・・ビットマトリックス形式。
【図１】
2004166177.tif 000003
【図２】
2004166177.tif 000004
【図３】
2004166177.tif 000005
【図４】
2004166177.tif 000006
【図５】
2004166177.tif 000007
【図６】
2004166177.tif 000008
【図７】
2004166177.tif 000009
【図８】
2004166177.tif 000010
【図９】
2004166177.tif 000011
【図１０】
2004166177.tif 000012
【図１１】
2004166177.tif 000013
【図１２】
2004166177.tif 000014
【図１３】
2004166177.tif 000015
【図１４】
2004166177.tif 000016
【図１５】
2004166177.tif 000017
【図１６】
2004166177.tif 000018
【図１７】
2004166177.tif 000019
【図１８】
2004166177.tif 000020
【図１９】
2004166177.tif 000021
【図２０】
2004166177.tif 000022
【図２１】
2004166177.tif 000023
【図２２】
2004166177.tif 000024